【手続補正書】
【提出日】平成27年5月19日(2015.5.19)
【手続補正１】
【補正対象書類名】特許請求の範囲
【補正対象項目名】全文
【補正方法】変更
【補正の内容】
【特許請求の範囲】
【請求項１】
参照位置を判定するシステムであって、
装着者の頭部上に装着されるように構成された装置と、
前記装着者の環境のシーンカメライメージを取り込むために前記装着者から離れる方向に向けて前記装置上に設置されるシーンカメラと、
前記装着者の目のうちの少なくとも１つの視標追跡位置を取り込むために前記装着者の１つの目の方に向けて前記装置上に設置される視標追跡カメラと、
前記シーンカメライメージ内のシーン参照位置を判定するために前記シーンカメラに結合され、及び前記視標追跡カメラに結合される、１つ又は複数のプロセッサと、
を備え、前記１つ又は複数のプロセッサが、前記装着者によって見られている位置を判定するのに前記シーン参照位置及び前記視標追跡位置を用いる、
システム。
【請求項２】
前記視野内のシーン参照位置を識別するために前記１つ又は複数のプロセッサによって物体認識アルゴリズムが用いられる、請求項１に記載のシステム。
【請求項３】
物体認識が、少なくとも部分的に物体の形状、物体の色、及び物体の少なくとも１つの縁に基づいている、請求項２に記載のシステム。
【請求項４】
既知の物体をそれぞれの前記既知の物体に関連付けられるシーン参照位置とマッピングするテンプレートのデータベースをさらに備え、前記１つ又は複数のプロセッサが、前記シーン・イメージから収集される前記シーン参照位置に関連付けられる物体を識別するために前記データベースに結合される、請求項１乃至３のいずれか１項に記載のシステム。
【請求項５】
前記１つ又は複数のプロセッサが、ディスプレイ装置の角部のうちの少なくとも１つの位置を識別するために物体認識を使用する、請求項４に記載のシステム。
【請求項６】
前記シーンカメラの視野内の物体に取り付けられる付加的な参照物体をさらに備え、これらの付加的な参照物体が前記１つ又は複数のプロセッサによって認識されるように前記物体が前記シーンカメライメージ内に配置される、請求項１に記載のシステム。
【請求項７】
前記装着者の環境を照らすために前記装着者から離れる方に向けられた、前記装置（１１）上の１つ又は複数の光源（１８ａ，１８ｂ，６０）をさらに備える、請求項１に記載のシステム。
【請求項８】
前記光源が、前記付加的な反射性参照物体が前記シーンカメライメージ内で認識可能であるように前記装着者の環境内の反射性参照物体を照らすように構成される、請求項７に記載のシステム。
【請求項９】
視線追跡のためのシステムであって、
ディスプレイ及び前記ディスプレイの周りに配置される複数の反射性参照物体を備える電子物体と、
装着者の頭部上に装着されるように構成された装置と、
を備え、前記装置が、
ａ）前記装着者の環境のシーンカメライメージを取り込むために前記装着者から離れる方向に向けて前記装置上に設置されるシーンカメラと、
ｂ）前記装着者の目のうちの少なくとも１つの視標追跡位置を取り込むために前記装着者の１つの目の方に向けて前記装置上に設置される視標追跡カメラと、
ｃ）前記シーンカメライメージ内の前記参照物体を識別するために前記シーンカメラに結合され、及び前記視標追跡カメラに結合される、１つ又は複数のプロセッサと、
を備え、前記１つ又は複数のプロセッサが、前記装着者によって見られている前記ディスプレイ上の位置を判定するのに前記シーンカメライメージにおける前記参照物体の前記位置及び前記視標追跡位置を用いる、
システム。
【請求項１０】
前記装置が、前記シーンカメライメージにおける前記参照物体の識別を強化するために参照物体を照らすのに前記装着者から離れる方に向けられた、前記装置上の１つ又は複数の光源をさらに備える、請求項９に記載のシステム。
【請求項１１】
前記参照物体のうちの１つ又は複数が接着剤によって前記電子物体に取り付けられる、又は前記電子物体のケーシングの中に一体化される、請求項９に記載のシステム。
【請求項１２】
視線追跡のためのシステムであって、
ディスプレイを備える電子物体であり、前記ディスプレイ上に提示されるイメージの中に複数の仮想参照物体を含むように構成される電子物体と、
装着者の頭部上に装着されるように構成された装置と、
を備え、前記装置が、
ａ）前記装着者の環境のシーンカメライメージを取り込むために前記装着者から離れる方向に向けて前記装置上に設置されるシーンカメラと、
ｂ）前記装着者の目のうちの少なくとも１つの視標追跡位置を取り込むために前記装着者の１つの目の方に向けて前記装置上に設置される視標追跡カメラと、
ｃ）前記シーンカメライメージ内の前記仮想参照物体を識別するために前記シーンカメラに結合され、及び視標追跡カメラに結合される、１つ又は複数のプロセッサと、
を備え、前記１つ又は複数のプロセッサが、前記シーンカメライメージにおける前記仮想参照物体の前記位置及び前記視標追跡位置を用いて、前記装着者によって見られている前記ディスプレイ上の位置を判定する、
システム。
【請求項１３】
既知の物体をそれぞれの前記既知の物体に関連付けられる参照物体とマッピングするテンプレートのデータベースをさらに備え、前記１つ又は複数のプロセッサが、前記シーンカメライメージにおいて識別される前記仮想参照物体に基づいて前記電子物体を識別するために前記データベースに結合される、請求項１乃至１２のいずれか１項に記載のシステム。
【請求項１４】
物体を識別するシステムであって、
装着者の頭部上に装着されるように構成された装置と、
前記装着者の環境のシーンカメライメージを取り込むために前記装着者から離れる方向に向けて前記装置上に設置されるシーンカメラと、
前記装着者の目のうちの少なくとも１つの視標追跡位置を取り込むために前記装着者の１つの目の方に向けて前記装置上に設置される視標追跡カメラと、
前記シーンカメライメージ内のシーン参照位置を判定するために前記シーンカメラに結合され、及び視標追跡カメラに結合される、１つ又は複数のプロセッサと、
既知の物体をそれぞれの前記既知の物体に関連付けられるシーン参照位置とマッピングするテンプレートのデータベースと、
を備え、前記１つ又は複数のプロセッサが、前記シーン・イメージから収集される前記シーン参照位置に関連付けられる物体を識別するために前記データベースに結合される、
システム。
【請求項１５】
参照位置を判定する方法であって、
装置を装着者の頭部上に置くこと、
前記装着者の環境のイメージを取り込むように位置決めされる前記装置上に、シーンカメラであり、前記シーンカメラから収集されたシーンカメライメージ内のシーン参照位置を判定するためにシーンプロセッサに結合される、シーンカメラを提供すること、
前記装着者の目のうちの少なくとも１つの視標追跡位置を取り込むように位置決めされる前記装置上に視標追跡カメラを提供すること、
を含み、前記視標追跡カメラ及び前記シーンカメラが、前記シーン参照位置及び前記視標追跡位置を用いて前記装着者によって見られている位置を判定するためにプロセッサに結合される、
方法。
【請求項１６】
前記プロセッサが、前記視野内のシーン参照位置を識別するために物体認識アルゴリズムを使用する、請求項１５に記載の方法。
【請求項１７】
既知の物体をそれぞれの前記既知の物体に関連付けられるシーン参照位置とマッピングするテンプレートのデータベースをさらに備え、前記プロセッサ（１４）が、前記シーン・イメージから収集される前記シーン参照位置に関連付けられる物体を識別するために前記データベースに結合される、請求項１５に記載の方法。
【請求項１８】
前記物体認識アルゴリズムが、少なくとも部分的に物体の形状、又は物体の色に基づいている、若しくは、前記物体認識アルゴリズムが、物体の少なくとも１つの縁の位置を識別するために用いられる、又はディスプレイの角部のうちの少なくとも１つの位置を識別するために用いられる、請求項１６に記載の方法。
【請求項１９】
付加的な参照物体を、これらの付加的な参照物体が前記シーンカメラによって認識されるように前記装着者の環境内に位置決めすることをさらに含む、請求項１６に記載の方法。
【請求項２０】
参照位置を判定する方法であって、
装着者から離れる方に向けられたシーンカメラ及び装着者の目のうちの少なくとも１つの方に向けられた視標追跡カメラを備える装置を、装着者の頭部上に置くこと、
前記シーンカメラで前記装着者の周りの環境のシーン・イメージを収集すること、
前記環境内のシーン参照位置に関連付けられる物体を識別するために前記シーンカメライメージ内のシーン参照位置を識別すること、
前記物体に対して前記装着者によって見られている位置を判定するために前記シーンカメライメージ及び視標追跡イメージを解析すること、
を含む方法。